(57)【特許請求の範囲】
【請求項１】
生体内に存在する捕捉対象物を捕捉するためのフィルターと、
前記フィルターが配置された内腔と、前記内腔の先端側に開口した吸入部と、前記内腔の基端側の側面に開口した吐出部と、を備えた筒体と、
前記内腔において前記フィルターよりも基端側に配置され、前記生体内において前記吸入部から前記吐出部へ向かう流体の流れを発生させることによって前記流体とともに前記捕捉対象物を前記内腔へ吸入させるインペラと、を有し、
前記インペラの基端側の少なくとも一部は、前記内腔内の領域において前記吐出部に臨む位置に配置されている医療用装置。
【請求項２】
前記筒体は、前記吐出部よりも前記吸入部から基端側に離間した基端部が凹状に湾曲して形成されている、請求項１に記載の医療用装置。
【請求項３】
前記基端部は、前記吐出部を含めて連続的に湾曲して形成されている、請求項２に記載の医療用装置。
【請求項４】
前記筒体の前記吸入部の位置から前記フィルターが配置された前記内腔に至る軸方向に沿った長さが１〜１４ｍｍに形成されている、請求項１〜３のいずれか１項に記載の医療用装置。
【請求項５】
前記筒体の全長が１５ｍｍ以下、
前記インペラの基端側の少なくとも一部は、前記内腔内の領域において前記吐出部に臨む位置に配置されており、
前記吐出部に臨んだ領域の長さが前記インペラの全長の４０％未満であり、
前記インペラに回転可能に形成され前記流体を移動させるブレード部の軸直交断面における曲率半径が１．５ｍｍ以下に形成されている、請求項１〜４のいずれか１項に記載の医療用装置。
【請求項６】
前記筒体の全長が１５ｍｍ以下、
前記インペラの基端側の少なくとも一部は、前記内腔内の領域において前記吐出部に臨む位置に配置されており、
前記吐出部に臨んだ領域の長さが前記インペラの全長の４０％以上であり、
前記インペラに回転可能に形成され前記流体を移動させるブレード部の軸直交断面における曲率半径が１．５ｍｍから無限大の範囲において形成されている、請求項１〜４のいずれか１項に記載の医療用装置。
【請求項７】
前記筒体の内径が１０ｍｍ以下、
前記インペラに回転可能に形成され前記流体を移動させるブレード部の枚数が３〜５枚、
前記インペラに回転可能に形成され前記流体を移動させるブレード部の周方向に沿った軸方向の上流側から下流側に向かう方向における捻りが５０〜１２０°、
前記筒体の内腔の軸直交断面の断面積において前記ブレード部の軸直交断面の断面積が占める割合が１２〜１８％で形成されている、請求項１〜６のいずれか１項に記載の医療用装置。
【請求項８】
前記筒体の全長が６．１ｍｍ、
前記インペラの全長が２．５ｍｍ、
前記インペラの基端側の前記吐出部に臨んだ領域の長さが当該インペラの全長の４４％、
前記インペラに回転可能に形成され前記流体を移動させるブレード部の軸直交断面における曲率半径が無限大、前記ブレード部の枚数が４枚、
前記ブレード部の周方向に沿った軸方向の上流側から下流側に向かう方向における捻りが７０°、
前記筒体の内腔の軸直交断面の断面積において前記ブレード部の軸直交断面の断面積が占める割合が１６．９％で形成されている、請求項１〜３のいずれか１項に記載の医療用装置。
【請求項９】
前記筒体の全長が８．３ｍｍ、
前記インペラの全長が２．８ｍｍ、
前記インペラの基端側の前記吐出部に臨んだ領域の長さが当該インペラの全長の３１．４％、
前記インペラに回転可能に形成され前記流体を移動させるブレード部の軸直交断面における曲率半径が１．５ｍｍ、
前記ブレード部の枚数が３枚、
前記ブレード部の周方向に沿った軸方向の上流側から下流側に向かう方向における捻りが９０°、
前記筒体の内腔の軸直交断面の断面積において前記ブレード部の軸直交断面の断面積が占める割合が１３．１％で形成されている、請求項１〜３のいずれか１項に記載の医療用装置。
【請求項１０】
前記筒体の全長が９ｍｍ、
前記インペラの全長が４ｍｍ、
前記インペラの基端側の前記吐出部に臨んだ領域の長さが当該インペラの全長の７．５％、
前記インペラに回転可能に形成され前記流体を移動させるブレード部の軸直交断面における曲率半径が１．５ｍｍ、
前記ブレード部の枚数が４枚、
前記ブレード部の周方向に沿った軸方向の上流側から下流側に向かう方向における捻りが６０°、
前記筒体の内腔の軸直交断面の断面積において前記ブレード部の軸直交断面の断面積が占める割合が１５．２％で形成されている、請求項１〜３のいずれか１項に記載の医療用装置。
【発明の詳細な説明】
【技術分野】
【０００１】
本発明は、医療用装置に関する。
【背景技術】
【０００２】
従来から、内視鏡や吸引デバイス等の医療装置を生体器官（例えば、食道、気道、腸、尿管などの体腔、その他の臓器等）内へ導入し、これらの医療装置を使用して生体器官に生じた病変部を治療したり、生体器官内に存在する各種の異物（捕捉対象物）を除去等したりする処置が一般的に行われている。
【０００３】
異物の一例として尿路等に発生する結石が挙げられる。尿路結石は、腎臓、尿管、膀胱、尿道などの尿路に存在する結石である。尿路結石症では、尿路結石により様々な症状が引き起こされる。例えば腎臓内に生じた結石が尿管に移動した場合、結石が尿管を傷つけることで痛みや血尿が生じることや、結石が尿管を閉塞することで一過性の水腎症状態となることにより、腰背から側腹部の激しい痛み（疝痛）が引き起こされる。これらの症状の緩和や治療には、結石を除去することが有効な手段となる。
【０００４】
結石の除去には、その結石をバスケット鉗子で掴んで抽石する方法（下記特許文献１を参照）が広く行われているが、結石を１つ１つ掴んで生体外に抽石する必要があることから、非常に手間が掛かる。
【０００５】
ここで、結石を効率良く抽石するために、例えば血管内等の異物を除去するためのフィルターを転用し、そのフィルターを配置した筒体の内部およびその周囲に発生させた、循環流を含む流体の流れによって流体と共に吸引した結石を一纏めにして捕捉する方法が考えられる。
【０００６】
しかしながら、筒体は、生体内に導入することから可能な限り小さくする必要がある。しかも、循環流を発生させる構造は、筒体の内部により多くの捕捉対象物を収容することを考慮すれば、大型化して十分な吸引力を得ることは現実的ではない。したがって、筒体に備えたフィルターに捕捉対象物を十分に捕捉することは容易ではない。
【先行技術文献】
【特許文献】
【０００７】
【特許文献１】特表２００１−５１２３５５号
【発明の概要】
【発明が解決しようとする課題】
【０００８】
本発明は、上記のような問題に鑑みてなされたものであり、生体内に導入する筒体の内部およびその周囲に循環流を含む流体の流れを発生させて、筒体に備えたフィルターに捕捉対象物を十分に捕捉することができる医療用装置を提供することを目的とする。
【課題を解決するための手段】
【０００９】
上記目的を達成する本発明に係る医療用装置は、生体内に存在する捕捉対象物を捕捉するためのフィルターと、前記フィルターが配置された内腔と、前記内腔の先端側に開口した吸入部と、前記内腔の基端側の側面に開口した吐出部と、を備えた筒体と、前記内腔において前記フィルターよりも基端側に配置され、前記生体内において前記吸入部から前記吐出部へ向かう流体の流れを発生させることによって前記流体とともに前記捕捉対象物を前記内腔へ吸入させるインペラと、を有し、前記インペラの基端側の少なくとも一部は、前記内腔内の領域において前記吐出部に臨む位置に配置されている。
【発明の効果】
【００１０】
医療用装置は、内腔の先端側の吸入部と内腔の基端側の側面の吐出部との間で、基端側の少なくとも一部が内腔内の領域において吐出部に臨む位置に配置されたインペラによって、吸入部から吐出部へ向かう内腔内における流れをその一部とした循環流を含む流体の流れを、内腔および筒体の周囲に発生させる。このような構成によれば、医療用装置は、吸入部から吸引しインペラの回転に伴う遠心力によって径方向外方に移動させた流体を、吐出部から効率良く吐出して吸入部に循環させることができるため、筒体の内部およびその周囲に発生させた循環流を含む流体の流れを減衰させることなく、十分な吸引力を得ることができる。したがって、医療用装置は、捕捉対象物を十分に吸引して捕捉することができる。
【図面の簡単な説明】
【００１１】
【図１】実施形態に係る医療用装置を示す斜視図である。
【図２】図１の医療用装置の収容部等を示す斜視図である。
【図３】図１の医療用装置の収容部等を図２中の３−３線に沿って断面で示す側面図である。
【図４】図１の医療用装置を軟性腎盂尿管鏡（以下、軟性鏡）に装着した状態を模式的に示す側面図である。
【図５】図１の医療用装置を装着した軟性鏡を患者の尿管に導入した状態を模式的に示す図である。
【図６】図１の医療用装置の収容部に捕捉対象物を収集する状態を模式的に示す側面図であって、（Ａ）は収容部に捕捉対象物を収集する前の状態を示す図、（Ｂ）は収容部に捕捉対象物を収集している最中の状態を示す図、（Ｃ）は収容部に捕捉対象物を収集した後の状態を示す図である。
【図７】実施形態の変形例１（第１例）に係る医療用装置の収容部の筒体およびインペラを軸方向に沿った側方から断面で示す側面図である。
【図８】実施形態の変形例１（第２例）に係る医療用装置の収容部の筒体およびインペラを軸方向に沿った側方から断面で示す側面図である。
【図９】実施形態の変形例２（第１例）に係る医療用装置の収容部を示す図であって、（Ａ）は筒体およびインペラを軸方向に沿った側方から断面で示す図、（Ｂ）はインペラを軸方向に沿った先端側から基端側に向かって示す図である。
【図１０】実施形態の変形例２（第２例）に係る医療用装置の収容部を示す図であって、（Ａ）は筒体およびインペラを軸方向に沿った側方から断面で示す図、（Ｂ）はインペラを軸方向に沿った先端側から基端側に向かって示す図である。
【図１１】実施形態の変形例２（第３例）に係る医療用装置の収容部を示す図であって、（Ａ）は筒体およびインペラを軸方向に沿った側方から断面で示す図、（Ｂ）はインペラを軸方向に沿った先端側から基端側に向かって示す図である。
【図１２】実施形態の変形例３に係る医療用装置の収容部を示す図であって、（Ａ）は筒体およびインペラを軸方向に沿った側方から断面で示す図、（Ｂ）はインペラを軸方向に沿った先端側から基端側に向かって示す図である。
【発明を実施するための形態】
【００１２】
以下、図面を参照して、本発明の実施の形態を説明する。なお、図面の寸法比率は、説明の都合上誇張されており、実際の比率とは異なる場合がある。医療用装置１００は、生体内に導入する収容部１１０の側が先端側に相当し、使用者（術者）が操作する手元操作部１５０が基端側に相当する。
【００１３】
＜実施形態＞
実施形態の医療用装置１００について、図１〜図６を参照しながら説明する。
【００１４】
医療用装置１００の構成について、図１〜図３を参照しながら説明する。
【００１５】
図１は、実施形態に係る医療用装置１００を示す斜視図である。図２は、図１の医療用装置１００の収容部１１０等を示す斜視図である。図３は、図１の医療用装置１００の収容部１１０等を図２中の３−３線に沿って断面で示す側面図である。
【００１６】
医療用装置１００は、生体（例えば尿管６３０）内に導入する筒体１１２に、吸入部１１２ａから吐出部１１２ｃへ向かう内腔１１２ｂ内における流体の流れをその一部とした循環流Ｇを含む流体の流れを内腔１１２ｂおよび筒体１１２の周囲に発生させて、筒体１１２に備えたフィルター１１１に捕捉対象物（例えば固形状の結石Ｋや半固形状の血餅）を十分に捕捉する。捕捉対象物において、結石Ｋは、尿管６３０等に存在する結石Ｋを例えばレーザ砕石装置によって破砕して相対的に小さくした結石破砕片を含む。医療用装置１００を構成する収容部１１０、導入部１４０、および手元操作部１５０について順に説明する。
【００１７】
収容部１１０は、図１〜図３に示すように、尿管６３０等の生体内に存在する捕捉対象物を収容する。
【００１８】
収容部１１０は、フィルター１１１、筒体１１２、およびインペラ１１３を含んでいる。
【００１９】
フィルター１１１は、生体内に存在する捕捉対象物を捕捉する。
【００２０】
フィルター１１１は、流体を通過させつつ、例えば固形状の結石Ｋや半固形状の血餅からなる捕捉対象物を通過させない構成からなる。すなわち、フィルター１１１は、筒体１１２の吸入部１１２ａから吐出部１１２ｃに向かって流体とともに移動する捕捉対象物を、流体と分別して捕捉することができる。フィルター１１１は、筒体１１２の内腔１１２ｂにおいて、インペラ１１３よりも先端側に接合している。フィルター１１１は、格子状に形成され捕捉対象物を保持する保持部と、リング状に形成され保持部の外周縁に対して一体に形成された枠部を備えている。
【００２１】
フィルター１１１は、例えば、織物や編物からなる織布、不織布等の所定のメッシュを有するメッシュ生地からなる繊維材料や多孔質膜等を用いて構成することができる。特に、メッシュ生地は、目開きが比較的均一であることから、フィルター１１１として好適に構成することができる。フィルター１１１は、上記の材料を複数組み合わせて構成してもよい。
【００２２】
筒体１１２は、フィルター１１１によって捕捉した捕捉対象物を収容する。
【００２３】
筒体１１２は、フィルター１１１が配置された内腔１１２ｂと、内腔１１２ｂの先端側に開口した吸入部１１２ａと、内腔１１２ｂの基端側の側面に開口した吐出部１１２ｃを備えている。
【００２４】
筒体１１２は、円筒形状からなる。筒体１１２は、その肉厚が直径と比較して薄く形成され、かつ、その軸方向に沿った長さが直径と比較して長く形成されている。筒体１１２は、その内方に捕捉対象物を収容するための内腔１１２ｂが形成されている。
【００２５】
吸入部１１２ａは、内腔１１２ｂの先端側に開口され、流体とともに捕捉対象物を吸入する開口である。吸入部１１２ａは、軸直交断面において円形状に形成されている。
【００２６】
吐出部１１２ｃは、内腔１１２ｂの基端側の側面に開口され、フィルター１１１を通過した流体を生体（例えば筒体１１２が導入された尿管６３０）内に吐出する開口である。吐出部１１２ｃは、その形状や数、および吐出部１１２ｃ同士の配置に関して特に制限されない。例えば、１つの大きな吐出部１１２ｃを有する構成や、小さな吐出部１１２ｃを多数設けた構成としても良い。また、吐出部１１２ｃの形状を、その先端側から基端側にかけて開口面積が徐々に大きくなる形状とし、吐出部１１２ｃから吐出される流体が基端側に向けても吐出されやすい構成としても良い。例えば本実施形態で示したように、各々の吐出部１１２ｃを、径方向に沿って矩形状に形成し、筒体１１２の基端側の周方向に沿って一定の間隔で複数開口する構成としてもよい。このような構成によれば、各々の吐出部１１２ｃから流体が吐出され、筒体１１２の周方向における流体の流れが均一になる。
【００２７】
筒体１１２の内腔１１２ｂには、インペラ１１３が回転可能に備えられている。筒体１１２は、最も基端側の基端部１１２ｄに、インペラ１１３の軸部１１３ｃを回転可能に挿通して支持する支持孔が形成されている。支持孔は、基端部１１２ｄの中央部分において、軸方向に沿って貫通させた開口からなる。
【００２８】
筒体１１２の内腔１１２ｂには、インペラ１１３よりも先端側の位置に、フィルター１１１が接合されている。内腔１１２ｂにおいて、先端側の吸入部１１２ａの位置からフィルター１１１が接合された位置までの領域に、捕捉対象物が収容される。
【００２９】
筒体１１２は、例えば、アクリル樹脂、ポリ塩化ビニル（特に硬質ポリ塩化ビニル）、ポリエチレン、ポリプロピレン、またはポリブタジエンのようなポリオレフィン等からなる硬質の材料から構成することができる。筒体１１２は、可視光領域で透明な材料から構成され、外部から捕捉対象物の捕捉具合を目視可能な構成とすることができる。筒体１１２は、例えばＸ線造影剤を含有させ、その造影剤を外部からＸ線透視下で撮像することによって、生体内における位置を確認可能な構成とすることができる。
【００３０】
インペラ１１３は、発生させた循環流Ｇを含む流体の流れによって流体とともに捕捉対象物を筒体１１２の内腔１１２ｂへ吸入させる。
【００３１】
インペラ１１３は、内腔１１２ｂにおいてフィルター１１１よりも基端側に配置され、生体内において吸入部１１２ａから吐出部１１２ｃへ向かう流体の流れを発生させることによって流体とともに捕捉対象物を内腔１１２ｂへ吸入させる。
【００３２】
インペラ１１３の基端側の少なくとも一部は、内腔１１２ｂ内の領域において吐出部１１２ｃに臨む位置に配置されている。すなわち、インペラ１１３の基端側の少なくとも一部は、筒体１１２の軸方向に沿った吐出部１１２ｃの先端と基端との間に位置するように配置されている。したがって、インペラ１１３は、遠心力によって径方向外方に移動させた流体を、筒体１１２の側面に位置する吐出部１１２ｃから円滑に吐出することができる。
【００３３】
インペラ１１３は、筒体１１２の内部に回転可能に収容されている。インペラ１１３は、シャフト部１１３ａ、複数のブレード部１１３ｂ、および軸部１１３ｃを備えている。インペラ１１３は、シャフト部１１３ａおよび複数のブレード部１１３ｂによって、全体として例えばプロペラ型のスクリューを構成している。インペラ１１３は、パドル型、タービン型、リボン型等のスクリューとして構成してもよい。
【００３４】
シャフト部１１３ａは、周方向に沿って一定の間隔で複数接合したブレード部１１３ｂを軸方向に沿って回転させる。シャフト部１１３ａは、先端側（軸方向に沿った上流側）が縮径した円柱体であり、全体として弾丸形状をなしている。ブレード部１１３ｂの基端側（軸方向に沿った下流側）の端部には、細長く可塑性を備えた軸部１１３ｃが連結している。軸部１１３ｃは、手元操作部１５０の制御部材１５１のモータに接続されている。
【００３５】
ブレード部１１３ｂは、スクリューの翼の部分に相当する。ブレード部１１３ｂがシャフト部１１３ａによって回転すると、筒体１１２の吸入部１１２ａから吐出部１１２ｃに向かう流体の流れが発生する。すなわち、ブレード部１１３ｂが回転している間、筒体１１２の吸入部１１２ａから吐出部１１２ｃに向かう流体の流れが発生する。
【００３６】
ブレード部１１３ｂは、径方向に沿った方向よりも軸方向に沿った方向に長い。ブレード部１１３ｂは、シャフト部１１３ａの回転によって流れを生じさせることができるように、先端側から基端側にかけてその長軸方向が回転軸を基準にねじれている。さらに、ブレード部１１３ｂは、回転軸から径方向外方に向かって、回転方向と逆方向に湾曲している。
【００３７】
ところで、インペラ１１３は、シャフト部１１３ａを全体として弾丸形状に形成したり、ブレード部１１３ｂを先端側から基端側にいたる長軸方向に沿って回転軸を基準にねじって形成したりして構成している。このようなインペラ１１３を用いると、ブレード部１１３ｂの回転によって発生する流体において、径方向に対する水平方向の流れ（ベクトル）と、基端側から先端側に向かう垂直方向の流れ（ベクトル）が混在することになる。このような場合、インペラ１１３の基端側面から先端方向へ回り込むような流体の流れが形成される。ここで、本実施形態のインペラ１１３は、基端側の少なくとも一部が筒体１１２の軸方向に沿った吐出部１１２ｃの先端と基端との間に位置するように配置されていることから、インペラ１１３から吐出部１１２ｃへ向かう流体の流れが、吐出部１１２ｃの領域で大きく乱されることがない。したがって、インペラ１１３の基端側面から先端方向へ回り込むような流体の流れが形成されても、その流体を筒体１１２の側面に位置する吐出部１１２ｃから円滑に吐出させることができる。
【００３８】
インペラ１１３は、軸部１１３ｃを除き、例えば、アクリル樹脂、ポリ塩化ビニル（特に硬質ポリ塩化ビニル）、ポリエチレン、ポリプロピレン、またはポリブタジエンのようなポリオレフィン等の硬質の樹脂材料から構成することができる。また、インペラ１１３は、軸部１１３ｃを除き、例えば、Ｎｉ−Ｔｉ系合金のような擬弾性合金（超弾性合金も含む）、形状記憶合金、ステンレス鋼、コバルト系合金、金、白金のような貴金属、タングステン系合金、炭素系材料（ビアノ線を含む）等の金属材料から構成することができる。軸部１１３ｃは、可撓性を備えた材料から構成することができる。
【００３９】
導入部１４０は、図１〜図３に示すように、術者が、収容部１１０を尿管６３０等の生体内に導入するためのものである。
【００４０】
導入部１４０は、導入管１４１を含んでいる。導入管１４１は、細長い円筒形状から形成されている。導入管１４１は、インペラ１１３の軸部１１３ｃを回転可能に保持可能なルーメン１４１ｂが内部に形成されている。導入管１４１の先端１４１ａは、筒体１１２の基端部１１２ｄに開口された支持孔に接合されている。導入管１４１の基端１４１ｃは、手元操作部１５０の接続口１５０ａに着脱可能に連結されている。導入管１４１は、可撓性を備えた材料から構成され、尿管６３０等の形状や軟性鏡７００の動きに合わせて変形可能である。
【００４１】
手元操作部１５０は、図１に示すように、術者が、尿管６３０等に導入された筒体１１２の位置を調整したり、インペラ１１３を回転させたりするための操作を行うものである。
【００４２】
手元操作部１５０は、制御部材１５１、把持部材１５２、およびスイッチ１５３を含んでいる。手元操作部１５０は、導入部１４０の導入管１４１の基端１４１ｃを着脱可能に連結する接続口１５０ａを備えている。制御部材１５１は、インペラ１１３の軸部１１３ｃを回転させるモータ、およびそのモータを制御する制御回路、モータおよび制御回路に電力を供給する電源（電池）を備えている。モータの回転軸は、インペラ１１３の軸部１１３ｃに着脱可能に連結されている。制御部材１５１のモータが回転すると、導入管１４１に導入されているインペラ１１３の軸部１１３ｃが従動して回転し、筒体１１２内のインペラ１１３が回転する。把持部材１５２は、術者が把持するものである。把持部材１５２は、その内部に制御部材１５１の電池を収納している。スイッチ１５３は、制御部材１５１のモータをＯＮ／ＯＦＦするスイッチである。
【００４３】
医療用装置１００の使用方法について、図４〜図６を参照しながら説明する。
【００４４】
ここでは、尿路結石症に罹患した患者６００において、硬性鏡で到達可能な尿管６３０の下部尿管にあたる領域に結石Ｋが存在し、かつ、硬性鏡では到達困難であるが、軟性鏡では到達可能な尿管６３０の上部尿管にあたる領域にも結石Ｋが存在する患者６００に対する処置例を説明する。このような症例では、先に下部尿管の結石Ｋを除去した後、上部尿管の結石Ｋを除去することが行われる。なお、図５においては、下部尿管の結石Ｋを除去した後、上部尿管の結石Ｋを除去する際の状況を模式的に示している。
【００４５】
図４は、図１の医療用装置１００を軟性腎盂尿管鏡（以下、軟性鏡７００）に装着した状態を模式的に示す側面図である。図５は、図１の医療用装置１００を装着した軟性鏡７００を患者６００の尿管６３０に導入した状態を模式的に示す図である。図６は、図１の医療用装置１００の収容部１１０に捕捉対象物を収集する状態を模式的に示す側面図であって、（Ａ）は収容部１１０に捕捉対象物を収集する前の状態を示す図、（Ｂ）は収容部１１０に捕捉対象物を収集している最中の状態を示す図、（Ｃ）は収容部１１０に捕捉対象物を収集した後の状態を示す図である。
【００４６】
医療用装置１００の使用方法に係る説明においては、捕捉対象物を例えば結石Ｋとして説明する。
【００４７】
図５に示す患者６００に対して、泌尿器系で一般的に用いられる膀胱鏡を用い、医療分野において広く知られたガイドワイヤを、尿道６１０および膀胱６２０を介して尿管６３０または腎盂腎杯６４０に導入する。次に、硬性腎盂尿管鏡（以下、硬性鏡）を挿入し、尿管６３０の内壁や、尿管６３０内の結石Ｋを観察する。このとき、硬性鏡にバスケット鉗子を併用して結石Ｋを除去してもよい。また、硬性鏡にホルミウム・ヤグレーザー等の破砕装置を併用して、比較的大きく除去が困難な結石Ｋを破砕して相対的に小さくしたり、生じた結石破砕片をバスケット鉗子を使用したりして除去してもよい。その後、硬性鏡を生体内から抜去する。
【００４８】
次に、ガイドワイヤを介して尿管アクセスシースを、尿道６１０および膀胱６２０を介して尿管６３０または腎盂腎杯６４０に導入する。
【００４９】
尿管アクセスシースを介して軟性鏡７００を挿入し、結石Ｋを観察する。このとき、ガイドワイヤを抜去してもよい。結石Ｋが尿管アクセスシースを通過困難な、比較的大きなサイズであった場合、軟性鏡７００にホルミウム・ヤグレーザー等の破砕装置を併用して、結石Ｋを破砕して相対的に小さくする。
【００５０】
次に、医療用装置１００と軟性鏡７００を組み付ける。具体的には、図４に示すように、医療用装置１００の導入管１４１と手元操作部１５０を分離した状態から、導入管１４１を軟性鏡７００のワーキングチャンネル７０１に軟性鏡７００の先端側から導入して、導入管１４１の基端側をポート７０２から取り出し、その導入管１４１の基端側を手元操作部１５０に嵌合して取り付ける。
【００５１】
次に、図５に示すように、医療用装置１００を装着した軟性鏡７００を、尿管アクセスシースを介して、患者６００の尿道６１０および膀胱６２０を通過させ、例えば尿管６３０内の結石Ｋが存在する部位に到達させた後、医療用装置１００を用いて、結石Ｋを収容部１１０に収集する。
【００５２】
具体的には、図５に図示した尿管６３０内の結石Ｋに対して、図６（Ａ）に示すように筒体１１２を接近させる。術者が手元操作部１５０のスイッチ１５３を操作して、インペラ１１３を回転させると、筒体１１２の先端側に開口した吸入部１１２ａからの基端側の側面に開口した吐出部１１２ｃへ向かい、さらに吐出部１１２ｃから吐出された後に吸入部１１２ａへと向かい、再び吸入部１１２ａから吸入されて吐出部１１２ｃから吐出される循環流Ｇ、を含む流体の流れが発生する。その結果、吸入部１１２ａの周囲、および筒体１１２の内部には、吸入部１１２ａから吐出部１１２ｃへ向かう強力な吸引力が発生し、図６（Ｂ）から図６（Ｃ）に示すように、尿管６３０内の結石Ｋが筒体１１２に配置されたフィルター１１１まで吸い寄せられるように移動して捕捉される。フィルター１１１によって捕捉された結石Ｋは、筒体１１２に収容される。次に、筒体１１２に結石Ｋを収集した筒体１１２等を、吸引力を発生させた状態で体外まで搬出する。筒体１１２内の結石Ｋを体外において除去する。
【００５３】
そして再び、医療用装置１００の収容部１１０を結石Ｋが存在する部位に到達させた後、結石Ｋの筒体１１２への取込み、ならびに体外での除去を繰り返す。さらに、結石Ｋの位置を変える（リポジショニング）目的で、腎盂腎杯内のある腎杯で結石Ｋを筒体１１２へ取込み、別の腎杯内でモータの回転を小さく、または停止するようにコントロールを行い、結石Ｋを筒体１１２からリリースしても良い。この際、モータを逆回転することによって、結石Ｋを筒体１１２から吐き出すように操作を行っても良い。
【００５４】
医療用装置１００は、硬性鏡と共に使用しても良い。すなわち、軟性鏡７００での抽石操作に先だって行われる硬性鏡での観察、砕石、抽石操作において、バスケット鉗子の代わりに使用しても良い。
【００５５】
次に、ガイドワイヤを、尿道６１０および膀胱６２０を介して尿管６３０または腎盂腎杯６４０に導入する。この操作は尿管アクセスシースを介して行ってもよい。さらに、上部尿管留置用の尿管ステントを、ガイドワイヤに被せて留置した後、ガイドワイヤを抜去する。尿管ステントは、術後の一過性の尿管閉塞等に対応する。尿管ステントは、所定の日数が経過した後、除去する。
【００５６】
尿管アクセスシースの使用の有無は、尿管や結石Ｋの状況等に鑑みて、術者によって判断される。すなわち、尿管アクセスシースを用いることなしに、軟性鏡７００での観察、砕石、抽石操作を行っても良く、このような場合においても、医療用装置１００を軟性鏡７００と共に使用しても良い。
【００５７】
以上、実施形態に係る医療用装置１００によれば、以下の構成によって作用効果を奏する。
【００５８】
医療用装置１００は、内腔１１２ｂの先端側の吸入部１１２ａと内腔１１２ｂの基端側の側面の吐出部１１２ｃとの間で、基端側の少なくとも一部が内腔１１２ｂ内の領域において吐出部１１２ｃに臨む位置に配置されたインペラ１１３によって、吸入部１１２ａから吐出部１１２ｃへ向かう内腔１１２ｂ内における流れをその一部とした循環流Ｇを含む流体の流れを、内腔１１２ｂおよび筒体１１２の周囲に発生させる。このような構成によれば、医療用装置１００は、吸入部１１２ａから吸引しインペラ１１３の回転に伴う遠心力によって径方向外方に移動させた流体を、吐出部１１２ｃから効率良く吐出して吸入部１１２ａに循環させることができるため、筒体の内部およびその周囲に発生させた循環流Ｇを含む流体の流れを減衰させることなく、十分な吸引力を得ることができる。したがって、医療用装置１００は、捕捉対象物を十分に吸引して捕捉することができる。
【００５９】
＜実施形態の変形例１＞
実施形態の変形例１の医療用装置について、図７および図８を参照しながら説明する。実施形態の変形例１の医療用装置は、筒体の基端部を凹状に湾曲させた構成が、前述した実施形態に係る医療用装置１００の構成と異なる。実施形態に係る医療用装置１００では、筒体１１２の基端部１１２ｄを平面状に構成している。実施形態の変形例１においては、前述した実施形態と同様の構成からなるものについて同一の符号を付加し、重複する説明を省略する。
【００６０】
実施形態の変形例１（第１例および第２例）に係る収容部２１０の構成について、図７よび図８を参照しながら説明する。
【００６１】
図７は、実施形態の変形例１（第１例）に係る医療用装置の収容部２１０の筒体２１２およびインペラ１１３を軸方向に沿った側方から断面で示す側面図である。図８は、実施形態の変形例１（第２例）に係る医療用装置の収容部２１０の筒体２１４およびインペラ１１３を軸方向に沿った側方から断面で示す側面図である。
【００６２】
医療用装置において、図７に示すように、筒体２１２は、吐出部２１２ｃよりも吸入部２１２ａから基端側に離間した基端部２１２ｄが、凹状に湾曲して形成されている。基端部２１２ｄは、筒体２１２の中心軸から径方向外方へ向かうほど先端側への傾斜が大きくなるように、連続的に変化した凹状の椀形状からなる。筒体２１２の基端部２１２ｄは、インペラ１１３のブレード部１１３ｂよりも軸方向に沿った基端側に位置している。
【００６３】
医療用装置において、図８に示すように、筒体２１４は、基端部２１４ｄが、吐出部２１４ｃを含めて連続的に湾曲して形成されている。このような構成によって、吸入部２１４ａから吸引されインペラ１１３を通過して基端部２１４ｄに向かう流体を、その基端部２１４ｄと連続して一体的に凹状に形成された吐出部２１４ｃを介して生体内に吐出させる。
【００６４】
以上、実施形態の変形例１に係る医療用装置によれば、以下の構成によって作用効果を奏する。
【００６５】
医療用装置において、筒体２１２は、吐出部２１２ｃよりも吸入部２１２ａから基端側に離間した基端部２１２ｄが凹状に湾曲して形成されている。このような構成の医療用装置によれば、吸入部２１２ａから吸引されインペラ１１３を通過して基端部２１２ｄに向かう流体を、その凹状に湾曲した基端部２１２ｄによって、圧力損失を抑制しつつ内腔２１２ｂの側方、および吐出部２１２ｃを経て吸入部２１２ａに向かう方向に向かって跳ね返すように伝搬させることができる。したがって、医療用装置は、内腔２１２ｂの側方、および吐出部２１２ｃを経て吸入部２１２ａに向かう方向に向かって伝搬させた流体を、内腔２１２ｂの側面に備えた吐出部２１２ｃから速やかに吐出させつつ、生体と筒体２１２の間を通り筒体２１２の吸入部２１２ａの側へ誘導することができる。すなわち、凹状に形成された基端部２１２ｄによって、吸入部２１２ａと吐出部２１２ｃとの間の循環流を円滑にすることができる。したがって、医療用装置は、効率良く捕捉対象物を吸引して捕捉することができる。
【００６６】
さらに、医療用装置において、基端部２１４ｄは、吐出部２１４ｃを含めて連続的に湾曲して形成されている。このような構成の医療用装置によれば、内腔２１４ｂの側方、および吐出部２１２ｃを経て吸入部２１２ａに向かう方向に向かって伝搬する流体の流れを、吐出部２１４ｃの領域で乱すことなく、基端部２１４ｄから吐出部２１４ｃを介して生体内に速やかに吐出させることができる。すなわち、吐出部２１４ｃを含めて凹状に形成された基端部２１４ｄによって、吸入部２１４ａと吐出部２１４ｃとの間の循環流を円滑にすることができる。したがって、医療用装置は、さらに効率良く捕捉対象物を吸引して捕捉することができる。
【００６７】
＜実施形態の変形例２＞
実施形態の変形例２の医療用装置について、図９〜図１１を参照しながら説明する。実施形態の変形例２の医療用装置は、筒体の内径、インペラのブレード部の枚数、およびブレード部の曲率半径を特定の範囲に規定した構成が、前述した実施形態に係る医療用装置１００の構成と異なる。実施形態の変形例２においては、前述した実施形態と同様の構成からなるものについて同一の符号を付加し、重複する説明を省略する。
【００６８】
実施形態の変形例２（第１例〜第３例）に係る収容部３１０の構成について、図９〜図１１を参照しながら説明する。
【００６９】
図９は、実施形態の変形例２（第１例）に係る医療用装置の収容部３１０を示す図であって、（Ａ）は筒体３１２およびインペラ３１３を軸方向に沿った側方から断面で示す図、（Ｂ）はインペラ３１３を軸方向に沿った先端側から基端側に向かって示す図である。図１０は、実施形態の変形例２（第２例）に係る医療用装置の収容部３１０を示す図であって、（Ａ）は筒体３１２およびインペラ３１４を軸方向に沿った側方から断面で示す図、（Ｂ）はインペラ３１４を軸方向に沿った先端側から基端側に向かって示す図である。図１１は、実施形態の変形例２（第３例）に係る医療用装置の収容部３１０を示す図であって、（Ａ）は筒体３１２およびインペラ３１５を軸方向に沿った側方から断面で示す図、（Ｂ）はインペラ３１５を軸方向に沿った先端側から基端側に向かって示す図である。
【００７０】
筒体３１２における流体の流れを、筒体やインペラの形状（例えば筒体の内腔の径）、流体の動粘性係数、圧力分布、流速ベクトルおよび流速分布等のデータに基づき、流体力学的に解析するシミュレーションを行った結果、次の条件において好適な結果（筒体３１２の吸入部３１２ａから吐出部３１２ｃの間において循環流Ｇを伴い十分な吸引力を生み出すことができる）を得ることができた。
【００７１】
第１例〜第３例に係る収容部３１０において、図９〜図１１に示すように、筒体３１２は、筒体１１２と同様の構成からなるものの、各部の寸法を流体力学的な観点から具体的に設定している。例えば、筒体３１２は、湾曲している生体内に導入することを考慮して、インペラを備えた部分を含めた軸方向に沿った全長を１５ｍｍ以下にすることを前提としている。筒体３１２は、内腔３１２ｂに十分な量の捕捉対象物を収容するために、インペラの軸方向に沿った全長を、筒体３１２の軸方向に沿った全長の２０％〜５０％に設定することを前提としている。
【００７２】
インペラ３１３、３１４、および３１５は、インペラ１１３と同様の構成からなるものの、各部の寸法を流体力学的な観点から具体的に設定している。インペラ３１３、３１４、および３１５に回転可能に形成され流体を移動させるブレード部３１３ｂ、３１４ｂ、および３１５ｂの枚数は、３〜４枚である。
【００７３】
ここで、図９に示すように、ブレード部３１３ｂの軸直交断面における曲率半径は、１．５ｍｍである。図１０に示すように、ブレード部３１４ｂの軸直交断面における曲率半径は、３．０ｍｍである。図１１に示すように、ブレード部３１５ｂの軸直交断面における曲率半径は、無限大（直線）である。
【００７４】
上記シミュレーションにおいて、ブレードが吐出部３１２ｃから露出している領域（軸方向に沿った長さ）の割合に合わせて、ブレード部の軸直交断面における曲率半径を変化させている。ブレードが吐出部３１２ｃから露出している領域（軸方向に沿った長さ）の割合を４０％以上にした場合には、ブレード部の曲率半径を１．５（より好ましくは３．０）以上に設定した。一方、ブレードが吐出部３１２ｃから露出している領域（軸方向に沿った長さ）の割合を４０％未満にした場合には、ブレード部の曲率半径を１．５以下に設定した。ブレード部の軸直交断面は、筒体３１２の吸入部３１２ａにおける軸直交断面の１２％〜１８％に相当する。
【００７５】
以上、実施形態の変形例２に係る医療用装置によれば、以下の構成によって作用効果を奏する。
【００７６】
医療用装置において、筒体３１２の吸入部３１２ａの位置からフィルター１１１が配置された内腔３１２ｂに至る軸方向に沿った長さが１〜１４ｍｍに形成されている。このような構成の医療用装置によれば、フィルター１１１によって捕捉した捕捉対象物を内腔３１２ｂに十分に収容することができる。
【００７７】
さらに、医療用装置において、筒体３１２の全長が１５ｍｍ以下、インペラ３１３の基端側の少なくとも一部は、内腔３１２ｂ内の領域において吐出部３１２ｃに臨む位置に配置されており、その吐出部３１２ｃに臨んだ領域の長さがインペラ３１３の全長の４０％未満であり、インペラ３１３に回転可能に形成され流体を移動させるブレード部３１３ｂの軸直交断面における曲率半径が１．５ｍｍ以下に形成されている。このような構成の医療用装置によれば、特に筒体３１２を軸方向に直交した内形状がｍｍ単位の狭所からなる生体内に導入し、その吸入部３１２ａから吸引しインペラ３１３の回転に伴う遠心力によって径方向外方に移動する流体を吐出部３１２ｃから吐出させる場合に好適である。その結果、吸入部３１２ａから吐出部３１２ｃへ向かう内腔３１２ｂ内における流体の流れをその一部とした循環流Ｇを含む流体の流れを内腔３１２ｂおよび筒体３１２の周囲に形成し、特に吸入部３１２ａから吐出部３１２ｃへ向かう内腔３１２ｂ内における流体の流速を高めることができる。すなわち、医療用装置は、軸方向に直交した内形状がｍｍ単位の狭所からなる生体内において、捕捉対象物を十分に吸引して捕捉することができる。
【００７８】
さらに、医療用装置において、筒体３１２の全長が１５ｍｍ以下、インペラ３１４または３１５の基端側の少なくとも一部は、内腔３１２ｂ内の領域において吐出部３１２ｃに臨む位置に配置されており、その吐出部３１２ｃに臨んだ領域の長さがインペラ３１４または３１５の全長の４０％以上であり、インペラ３１４または３１５に回転可能に形成され流体を移動させるブレード部３１４ｂまたは３１５ｂの軸直交断面における曲率半径が１．５ｍｍから無限大の範囲において形成されている。このような構成の医療用装置によれば、特に筒体３１２を軸方向に直交した内形状がｍｍ単位の狭所からなる生体内に導入し、その吸入部３１２ａから吸引しインペラ３１４、または３１５の回転に伴う遠心力によって径方向外方に移動する流体を吐出部３１２ｃから吐出させる場合に好適である。さらに、インペラ３１４または３１５の全長を短くし、捕捉対象物を収容する空間を広くした構成において、インペラ３１４または３１５の吐出部３１２ｃに臨んだ領域の長さがインペラ３１４または３１５の全長の４０％以上となった場合においても、吸入部３１２ａから吐出部３１２ｃへ向かう内腔３１２ｂ内における流体の流れをその一部とした循環流Ｇを含む流体の流れを内腔３１２ｂおよび筒体３１２の周囲に形成し、特に吸入部３１２ａから吐出部３１２ｃへ向かう内腔３１２ｂ内における流体の流速を高めることができ、吸入部３１２ａ周囲に十分な吸引力を発生することができる。すなわち、医療用装置は、軸方向に直交した内形状がｍｍ単位の狭所からなる生体内において、捕捉対象物を十分に吸引して捕捉することができる。
【００７９】
＜実施形態の変形例３＞
実施形態の変形例３の医療用装置について、図１２を参照しながら説明する。実施形態の変形例３の医療用装置は、内腔３１２ｂにおける単位時間当たりの流量を増加させるために、ブレード部の周方向に沿った軸方向の上流側から下流側に向かう方向における捻りの程度と、筒体の内腔の軸直交断面の断面積においてブレード部の軸直交断面の断面積が占める割合を所定の範囲内に制御した点が、前述した実施形態の変形例２（第１例）に係る医療用装置１００の構成と異なる。実施形態の変形例３においては、前述した実施形態と同様の構成からなるものについて同一の符号を付加し、重複する説明を省略する。
【００８０】
実施形態の変形例３に係る収容部４１０の構成について、図１２を参照しながら説明する。
【００８１】
図１２は、実施形態の変形例３に係る医療用装置の収容部４１０を示す図であって、（Ａ）は筒体３１２およびインペラ４１３を軸方向に沿った側方から断面で示す図、（Ｂ）はインペラ４１３を軸方向に沿った先端側から基端側に向かって示す図である。
【００８２】
筒体３１２における流体の流れのシミュレーションにおいて、実施形態の変形例２の第１例の条件に基づき、インペラ４１３のブレード部４１３ｂのように、ブレード部４１３ｂの周方向に沿った軸方向の上流側から下流側に向かう方向における捻りの程度と、筒体の内腔の軸直交断面の断面積においてブレード部４１３ｂの軸直交断面の断面積が占める割合と、を制御した結果、さらに好適な結果を得ることができた。すなわち、シミュレーションにおいて、ブレード部４１３ｂを周方向に沿った軸方向の上流側から下流側に向かう方向に捻った場合や、筒体３１２の内腔３１２ｂの軸直交断面の断面積においてブレード部４１３ｂの軸直交断面の断面積が占める割合を制御した場合、内腔３１２ｂにおける単位時間当たりの流量が増加する結果を得ることができた。
【００８３】
インペラ４１３において、ブレード部４１３ｂにおける周方向に沿った軸方向の上流側から下流側に向かう方向に捻りを７０°に設定している。また、筒体３１２の内腔３１２ｂの軸直交断面の断面積においてブレード部４１３ｂの軸直交断面の断面積が占める割合を１６．９％に設定している。このようなインペラ４１３の場合、周方向に沿って互いに隣り合うブレード部４１３ｂは、軸方向の上流側から下流側に向かう方向において、頂部４１３ｂｍ（径方向の中心付近）から底部４１３ｂｎ（径方向に沿った外周縁）の領域に隙間４１３ｓが視認される。一方、実施形態の変形例２の第１例のインペラ３１３において、各々のブレード部３１３ｂの周方向に沿った捻りを９０°に設定している。このようなインペラ３１３の場合、周方向に沿って互いに隣り合うブレード部３１３ｂは、軸方向の上流側から下流側に向かう方向において、頂部３１３ｂｍ（径方向の中心付近）から底部３１３ｂｎ（径方向に沿った外周縁）の領域に隙間が視認されない。
【００８４】
これら、内腔３１２ｂの軸直交断面の断面積においてブレード部４１３ｂの軸直交断面の断面積が占める割合や、インペラ４１３の軸方向の上流側から下流側に向かう方向における頂部４１３ｂｍ（径方向の中心付近）から底部４１３ｂｎ（径方向に沿った外周縁）の領域の隙間４１３ｓの大きさ、およびそれらのバランスは、インペラ４１３の回転により、頂部４１３ｂｍから底部４１３ｂｎ方向へ運ばれる流体の単位時間あたりの量に影響を与える。そのため、これらの値を制御することにより、内腔３１２ｂにおける単位時間当たりの流量が増加する結果を得ることができた。
【００８５】
また、インペラ４１３の場合、周方向に沿って互いに隣り合うブレード部４１３ｂは、軸方向の上流側から下流側に向かう方向において、頂部４１３ｂｍ（径方向の中心付近）から底部４１３ｂｎ（径方向に沿った外周縁）の領域に隙間４１３ｓが視認される。このような構成によれば、切削加工によってインペラ４１３を形成する際、切削工具をブレード部４１３ｂ間に挿入し、頂部４１３ｂｍから底部４１３ｂｎに向かう方向に、ブレード部４１３ｂを捻った構造に加工することができる。また、このような構成によれば、射出成型によってインペラ４１３を形成する際、複数個の金型を組み合わせて用いることにより、頂部４１３ｂｍから底部４１３ｂｎに向かう方向に、ブレード部４１３ｂを捻った構造に加工することができる。
【００８６】
ところで、実施形態の変形例２の第１例のインペラ３１３の場合、周方向に沿って互いに隣り合うブレード部３１３ｂは、軸方向の上流側から下流側に向かう方向において、頂部３１３ｂｍ（径方向の中心付近）から底部３１３ｂｎ（径方向に沿った外周縁）の領域に隙間が視認されない。このような場合、頂部３１３ｂｍから底部３１３ｂｎに向かう方向に、ブレード部３１３ｂを捻った構造に加工するためには、インペラ３１３自体を回転させながら切削したり、インペラ３１３自体を回転させながら取り外し可能な金型を用いたりすることになる。一方、実施形態の変形例３に係るインペラ４１３のような構成とすることによって、特殊な工具を必要とせず、複数のブレード部３１３ｂ同士の形状や重量を均一に制御することができる。
【００８７】
また、実施形態の変形例２の第１例のインペラ３１３の場合、ブレード部３１３ｂ間の形状や重量の違いが、インペラ３１３の回転によって作られる流体の流れや、その結果生じる吸引力の大きさに影響を与える。そこで、実施形態の変形例３に係るインペラ４１３のような加工しやすい構成とすることによって、ブレード部４１３ｂ間の形状や重量の違いを小さくし、生産時においても、安定した吸引力や流量を発揮するインペラ４１３を得ることができる。
【００８８】
以上、実施形態の変形例３に係る医療用装置によれば、以下の構成によって作用効果を奏する。
【００８９】
医療用装置において、筒体３１２の内径が１０ｍｍ以下、インペラ４１３に回転可能に形成され流体を移動させるブレード部４１３ｂの枚数が３〜５枚、インペラ４１３に回転可能に形成され流体を移動させるブレード部４１３ｂの周方向に沿った軸方向の上流側から下流側に向かう方向における捻りが５０〜１２０°、筒体３１２の内腔の軸直交断面の断面積においてブレード部４１３ｂの軸直交断面の断面積が占める割合が１２〜１８％で形成されている。このような構成の医療用装置によれば、吸入部３１２ａから吸引された流体の一部をブレード部４１３ｂ同士の隙間４１３ｓから通過させることによって、内腔３１２ｂにおける流体の流れを円滑にし、内腔３１２ｂにおいて単位時間当たりの流量を増加させることができる。すなわち、医療用装置は、内形状がｍｍ単位の狭所からなる生体内において、捕捉対象物を内腔３１２ｂに強力に吸引して捕捉することができる。
【００９０】
また、医療用装置において、特に、以下の条件１〜３においても、吸入部から吸引された流体の一部をブレード部同士の隙間から通過させることによって、内腔における流体の流れを円滑にし、内腔において単位時間当たりの流量を増加させることができる。
【００９１】
（条件１）筒体の全長が６．１ｍｍ、インペラの全長が２．５ｍｍ、インペラの基端側の吐出部に臨んだ領域の長さが当該インペラの全長の４４％、インペラに回転可能に形成され流体を移動させるブレード部の軸直交断面における曲率半径が無限大、ブレード部の枚数が４枚、ブレード部の周方向に沿った軸方向の上流側から下流側に向かう方向における捻りが７０°、筒体の内腔の軸直交断面の断面積においてブレード部の軸直交断面の断面積が占める割合が１６．９％で形成されている。
【００９２】
（条件２）筒体の全長が８．３ｍｍ、インペラの全長が２．８ｍｍ、インペラの基端側の吐出部に臨んだ領域の長さが当該インペラの全長の３１．４％、インペラに回転可能に形成され流体を移動させるブレード部の軸直交断面における曲率半径が１．５ｍｍ、ブレード部の枚数が３枚、ブレード部の周方向に沿った軸方向の上流側から下流側に向かう方向における捻りが９０°、筒体の内腔の軸直交断面の断面積においてブレード部の軸直交断面の断面積が占める割合が１３．１％で形成されている。
【００９３】
（条件３）筒体の全長が９ｍｍ、インペラの全長が４ｍｍ、インペラの基端側の吐出部に臨んだ領域の長さが当該インペラの全長の７．５％、インペラに回転可能に形成され流体を移動させるブレード部の軸直交断面における曲率半径が１．５ｍｍ、ブレード部の枚数が４枚、ブレード部の周方向に沿った軸方向の上流側から下流側に向かう方向における捻りが６０°、筒体の内腔の軸直交断面の断面積においてブレード部の軸直交断面の断面積が占める割合が１５．２％で形成されている。
【００９４】
以上、複数の実施形態および変形例を通じて本発明に係る医療用装置を説明したが、これらの本発明は特許請求の範囲に記載された内容に基づいて適宜改変することが可能である。
【００９５】
例えば、医療用装置は、尿管６３０に導入して捕捉対象物を捕捉して除去する形態に限定されることなく、生体内の他の部位に導入して捕捉対象物を捕捉して除去することができる。生体内の他の部位は、例えば腎盂腎杯６４０に相当する。
【符号の説明】
【００９６】
１００  医療用装置、
１１０、２１０、３１０、４１０  収容部、
１１１  フィルター、
１１２、２１２、２１４、３１２  筒体、
１１２ａ、２１２ａ、２１４ａ、３１２ａ  吸入部、
１１２ｂ、２１２ｂ、２１４ｂ、３１２ｂ  内腔、
１１２ｃ、２１２ｃ、２１４ｃ、３１２ｃ  吐出部、
１１２ｄ、２１２ｄ、２１４ｄ、３１２ｄ  基端部、
１１３、３１３、３１４、３１５、４１３  インペラ、
１１３ｂ、３１３ｂ、３１４ｂ、３１５ｂ、４１３ｂ  ブレード部、
Ｋ  結石（結石破砕片を含む、捕捉対象物）。
【図１】
0006445363.tif 000002
【図２】
0006445363.tif 000003
【図３】
0006445363.tif 000004
【図４】
0006445363.tif 000005
【図５】
0006445363.tif 000006
【図６】
0006445363.tif 000007
【図７】
0006445363.tif 000008
【図８】
0006445363.tif 000009
【図９】
0006445363.tif 000010
【図１０】
0006445363.tif 000011
【図１１】
0006445363.tif 000012
【図１２】
0006445363.tif 000013